(57)【要約】【課題】大量の材木の直径を容易に計測できる測定器を提供すること。【解決手段】測定器１は、距離を測定する測定具１００が固定されるベース部１０と、ベース部１０の先端側に設けられ、ベース部１０を基端として伸縮する伸縮部材３０によって、ベース部１０に連結されている先端部２０と、を備え、ベース部１０及び先端部２０には、伸縮部材３０が伸縮する方向と直交する方向に延びる軸部１１，２１が夫々設けられている。測定器１によれば、大量の材木の直径を容易に計測できる測定器を提供できる。【選択図】図１
2017219496.tif 000002
【特許請求の範囲】
【請求項１】
距離を測定する測定具が固定されるベース部と、
前記ベース部の先端側に設けられ、前記ベース部を基端として伸縮する伸縮部材によって、前記ベース部に連結されている先端部と、を備え、
前記ベース部及び前記先端部には、前記伸縮部材が伸縮する方向と直交する方向に延びる軸部が夫々設けられている測定器。
【請求項２】
前記先端部には、前記ベース部に固定された測定器と対面する反射面が形成されており、
前記ベース部に固定される前記測定具は、その先端から放射された光線又は超音波を前記反射面で反射させて、先端から前記反射面までの距離を測定する請求項１に記載の測定器。
【請求項３】
前記ベース部に固定される前記測定具は、断面が湾曲しており、目盛りが付されている金属製のテープが、本体の内部に巻き取り可能な鋼製巻尺であり、
前記ベース部には、前記本体が固定されており、
前記伸縮部材は、前記テープであり、
前記先端部は、前記テープの先端に固定されている請求項１に記載の測定器。
【発明の詳細な説明】
【技術分野】
【０００１】
本発明は、測定器に関する。
【背景技術】
【０００２】
従来、材木の出荷をする際には、材木の直径を計測する必要がある。材木の直径を測る測定器として、専用の定規が用いられていたが、この定規は、目盛りが２ｃｍごとに区切られる部分もあるため、計測が粗くなってしまう傾向があった。
【０００３】
そこで、特許文献１には、スケール部材と、スライダと、測定ジョウが設けられたスケール部材とスライダとの相対移動量を測定するために構成された信号処理部と、スライダに搭載された発電機構と、を含む電子ノギスが提案されている。特許文献１の電子ノギスによれば、スケール部材をスライド移動させ、材木の断面に、測定ジョウを配置することで、木材の直径を計測できる。
【先行技術文献】
【特許文献】
【０００４】
【特許文献１】特開２０１４−１０９５８０号公報
【発明の概要】
【発明が解決しようとする課題】
【０００５】
通常、木材は切り出された後、所定の置き場において、大量に積み上げられており、この状態において、材木の直径を計測することで、作業効率が向上する。
【０００６】
しかしながら、特許文献１の電子ノギスを含むノギスは、スケール部材又はスライダが、多様な寸法に対応可能とするために、長めに形成されており、材木の直径を計測する測定ジョウの反対側の端部が突出してしまう。このため、大量に積み上げられた木材の直径の計測時に、この突出した部分が、積み上がった他の材木にあたってしまい、計測しにくいという問題があった。
【０００７】
本発明は、大量の材木の直径を容易に計測できる測定器を提供することを目的とする。
【課題を解決するための手段】
【０００８】
（１）  距離を測定する測定具が固定されるベース部と、
前記ベース部の先端側に設けられ、前記ベース部を基端として伸縮する伸縮部材によって、前記ベース部に連結されている先端部と、を備え、
前記ベース部及び前記先端部には、前記伸縮部材が伸縮する方向と直交する方向に延びる軸部が夫々設けられている測定器。
【０００９】
（１）の構成によれば、測定器は、ベース部と、先端部と、を備える。
ベース部は、距離を測定する測定具が固定される。
先端部は、ベース部の先端側に設けられ、ベース部を基端として伸縮する伸縮部材によって、ベース部に連結されている。
そして、ベース部及び先端部には、伸縮部材が伸縮する方向と直交する方向に延びる軸部が夫々設けられている。
【００１０】
これにより、材木の直径を測定する場合、使用者は、伸縮部材を必要分だけ伸ばし、先端部をベース部から離間する方向に移動させ、略円柱形状の材木の断面端部に先端をあてて、又は断面を挟むように、ベース部及び先端部に夫々設けられている軸部を配置する。そして、使用者は、測定具により測定された先端部までの距離から、材木の直径が分かる。
【００１１】
このように、距離を測定する測定具が固定されるベース部と先端部とを伸縮する伸縮部材で連結し、伸縮部材の伸縮により先端部の位置を調整する。
このため、木材が大量に積み上げられており、この中のある木材の直径を計測する場合でも、従来のノギスのように距離を測る長尺の部材がないので、測定具の一部が他の木材にあたり、測定し難くなることがない。
したがって、大量の材木の直径を容易に計測できる測定器を提供できる。
【００１２】
（２）  前記先端部には、前記ベース部に固定された測定器と対面する反射面が形成されており、
前記ベース部に固定される前記測定具は、その先端から放射された光線又は超音波を前記反射面で反射させて、先端から前記反射面までの距離を測定する（１）に記載の測定器。
【００１３】
これにより、使用者は、伸縮部材を伸ばし、略円柱形状の材木の断面を挟むように、ベース部及び先端部に夫々設けられている軸部を配置し、測定具に光線又は超音波を、先端部の反射面に反射させることで、材木の断面の直径を知ることができる。
【００１４】
（３）  前記ベース部に固定される前記測定具は、断面が湾曲しており、目盛りが付されている金属製のテープが、本体の内部に巻き取り可能な鋼製巻尺であり、
前記ベース部には、前記本体が固定されており、
前記伸縮部材は、前記テープであり、
前記先端部は、前記テープの先端に固定されている（１）に記載の測定器。
【００１５】
これにより、使用者は、伸縮部材であり、先端に先端部が固定されているテープを、ベース部に固定された本体から引き出し、略円柱形状の材木の断面端部に先端をあてて、又は断面を挟むように、ベース部及び先端部に夫々設けられている軸部を配置することで、テープに付されている目盛りにより、材木の断面の直径を知ることができる。
【発明の効果】
【００１６】
本発明によれば、大量の材木の直径を容易に計測できる測定器を提供できる。
【図面の簡単な説明】
【００１７】
【図１】本発明の第１実施形態に係る測定器１の斜視図である。
【図２】本発明の第１実施形態に係る測定器１の基端側斜め下方から視た斜視図である。
【図３】本発明の第１実施形態に係る測定器１の伸縮部材３０を縮めた状態の斜視図である。
【図４】本発明の第１実施形態に係る測定器１の使用方法を説明する図である。
【図５】本発明の第２実施形態に係る測定器１Ａの斜視図である。
【発明を実施するための形態】
【００１８】
本発明の実施形態に係る測定器について説明する。なお、以下の説明において、同一の構成には同一の符号を付し、その説明を省略又は簡略化する。
【００１９】
（第１実施形態）
本発明の第１実施形態に係る測定器１の構成を図面に基づいて説明する。
図１は、本発明の第１実施形態に係る測定器１の斜視図である。図２は、本発明の第１実施形態に係る測定器１の基端側斜め下方から視た斜視図である。
測定器１は、ベース部１０と、先端部２０と、伸縮部材３０と、を備える。
【００２０】
ベース部１０は、距離を測定する測定具１００が固定され、先端に、伸縮部材３０が伸縮する方向と直交する方向に延びる軸部１１が設けられている。
ベース部１０は、測定具１００が載置される板状体１１０と、測定具１００を板状体１１０に固定する爪１２０と、伸縮部材３０に基端側を板状体１１０に固定する固定部１３０（図２参照）と、を有するが、これに限らず、測定具１００の先端近傍に軸部１１を取り付けられ、測定具１００に伸縮部材３０の基端側を固定できれば、箱形状や袋形状等の任意の形態とすることができる。
【００２１】
測定具１００は、先端から放射された光線又は超音波を、後述する先端部２０の反射面２１０で反射させて、反射した光線又は超音波を受信し、受信した結果から、先端から反射面２１０までの距離を測定する。測定具１００は、例えば、レーザー距離計で構成されている。レーザー距離計の場合は、レーザーで測定したデータをタブレット端末等の情報端末に無線等で送信することで、通常、検測者と記帳者の２名で測定し、記帳する必要があるところ、１人で行うことが可能となる。
測定具１００は、ベース部１０において、光線又は超音波が、伸縮部材３０が伸縮する方向に放射されるように配置され、光線又は超音波を放射し受信する放射・受信部１０１が、ベース部１０の軸部１１近傍に配置され、固定される。
【００２２】
先端部２０は、ベース部１０の先端側に設けられ、ベース部１０を基端として伸縮する伸縮部材３０によって、ベース部１０に連結されており、伸縮部材３０が伸縮する方向と直交する方向に延びる軸部２１が設けられている。
先端部２０は、ベース部１０に測定具１００が固定された状態で、測定具１００の放射・受信部１０１と対面する反射面２１０を有する。
【００２３】
伸縮部材３０は、基端側がベース部１０に固定され、その先端に先端部２０が固定され、伸縮する。
伸縮部材３０は、互いに外径が異なる複数の相似形の筒状体を、外径が大きい順で順次内側に内蔵させ、先端側に内側に窄まるかえしが形成され、基端側に外側に広がるかえしを形成されている入れ子構造であり、先端側を引っ張ることで、先端側に伸び、先端側を基端側に押圧することで縮む。
【００２４】
図３は、本発明の第１実施形態に係る測定器１の伸縮部材３０を縮めた状態の斜視図である。
使用者は、例えば、測定器１を収納したり、持ち運ぶ場合（使用しない場合）には、図１に示す状態から、先端部２０を基端側に押圧すると、伸縮部材３０が縮み、先端部２０がベース部１０に当接し、図３に示す状態となる。
このように、第１実施形態に係る測定器１は、先端部２０がベース部１０に当接した状態（使用していない状態）において、全長がベース部１０と先端部２０の長さに収まり、伸縮部材３０が、例えば、基端側から突出することがないので、持ち運びが容易で、収納スペースを抑えることが可能である。
【００２５】
図４は、本発明の第１実施形態に係る測定器１の使用方法を説明する図である。
材木２００の直径を測定する場合、使用者は、図３に示す状態の測定器１の伸縮部材３０を必要分だけ伸ばし、先端部２０をベース部１０から離間する方向に移動させ、図４に示すように、略円柱形状の材木２００の断面を挟む（又は、図示しないが、材木２００の断面端部に先端をあてて）ように、ベース部１０及び先端部２０に夫々設けられている軸部１１，２１を配置する。そして、使用者は、測定具１００に光線又は超音波を、先端部２０の反射面２１０に反射させることで、材木２００の断面の直径を知ることができる。
【００２６】
（第２実施形態）
次に、本発明の第２実施形態に係る測定器１Ａの構成を図面に基づいて説明する。
図５は、本発明の第２実施形態に係る測定器１Ａの斜視図である。
第２実施形態に係る測定器１Ａは、取り付けられる測定具１００Ａが、コンベックスである点が第１実施形態に係る測定器１とは異なる。
測定器１Ａは、ベース部１０Ａと、先端部２０Ａと、伸縮部材３０Ａと、を備える。
【００２７】
ベース部１０Ａは、距離を測定する測定具１００Ａが固定され、先端に、伸縮部材３０Ａが伸縮する方向と直交する方向に延びる軸部１１Ａが設けられている。
ベース部１０Ａは、後述する測定具１００Ａの本体１０１Ａの底面が載置される板状体１１０Ａと、板状体１１０Ａから立設し、本体１０１Ａの側面が固定される立設部１２０Ａと、板状体１１０Ａとの間に、後述する測定具１００Ａのテープ１０２Ａが挿通する隙間１３０ａを空けて、本体１０１Ａに固定されているガイド部１３０Ａと、を有するが、これに限らず、測定具１００Ａの先端近傍に軸部１１Ａを取り付けられれば、箱形状や袋形状等の任意の形態とすることができる。
【００２８】
測定具１００Ａは、断面が湾曲しており、目盛りが付されている金属製のテープ１０２Ａが、本体１０１Ａの内部に巻き取り可能な鋼製巻尺（コンベックス）で構成されている。
第２実施形態の測定具１００Ａでは、テープ１０２Ａにより伸縮部材３０Ａを構成し、テープ１０２Ａとは別に伸縮部材を設けていないが、これに限らず、テープ１０２Ａとは別に、例えば、第１実施形態の伸縮部材３０（図１参照）を設けてもよい。
【００２９】
先端部２０Ａは、ベース部１０Ａの先端側に設けられ、ベース部１０Ａを基端として伸縮するテープ１０２Ａ（伸縮部材３０Ａ）によって、ベース部１０Ａに連結されており、テープ１０２Ａ（伸縮部材３０Ａ）が伸縮する方向と直交する方向に延びる軸部２１Ａが設けられている。
先端部２０Ａは、測定具１００Ａのテープ１０２Ａの先端を固定するテープ留め部２１０Ａを有する。
【００３０】
ベース部１０Ａは、例えば、図１に示すベース部１０の板状体１１０に切り込みを入れ、この切り込まれた部分を、背面側（測定具１００が固定された面と反対側の面）に立設させることで、測定具１００Ａの側面が固定される立設部１２０Ａを形成し、板状体１１０の背面側にガイド部１３０Ａを設けてもよい。
また、先端部２０Ａは、例えば、図１に示すベース部１０の先端部２０において、反射面２１０と直交する面を形成し、この面にテープ留め部２１０Ａを設けてもよい。
これにより、１つの測定器で、図１に示す測定器１及び図５に示す測定器１Ａを構成でき、レーザー距離計及び／又はコンベックスを装着し、材木の直径を計測できるので、汎用性が向上する。
【００３１】
これにより、使用者は、伸縮部材であり、先端に先端部２０Ａが固定されているテープ１０２Ａ（伸縮部材３０Ａ）を、ベース部１０Ａに固定された本体１０１Ａから引き出し、略円柱形状の材木の断面を挟む（又は、材木端部に先端をあてて）ように、ベース部１０Ａ及び先端部２０Ａに夫々設けられている軸部１１Ａ，２１Ａを配置することで、テープ１０２Ａに付されている目盛りにより、材木の断面の直径を知ることができる。
【００３２】
なお、本発明は前記実施形態に限定されるものではなく、本発明の目的を達成できる範囲での変形、改良等は本発明に含まれるものである。
【符号の説明】
【００３３】
１，１Ａ  測定器
１０，１０Ａ  ベース部
２０，２０Ａ  先端部
３０，３０Ａ  伸縮部材
１１，２１，１１Ａ，２１Ａ  軸部
１００，１００Ａ  測定具
【図１】
2017219496.tif 000003
【図２】
2017219496.tif 000004
【図３】
2017219496.tif 000005
【図４】
2017219496.tif 000006
【図５】
2017219496.tif 000007